(57)【要約】【課題】  排水枡に堆積した汚泥を取り出すには、スコップで掘った汚泥を狭い排水枡の中から上方向に排出しなければならず、途中で掘った汚泥がスコップから滑り落ちたりして作業がやりにくかった。本発明は排水枡の汚泥を楽に排出する為の排水枡用スコップを提供する。【解決手段】  本発明の排水枡用スコップは、把手（２）から伸びた所定長の柄部（３）とこの柄部の他端側に設けられた受皿部（６）と、前記柄部の他端と前記受皿部との間に取付けられ、前記受皿部と柄部との角度を段階敵に変えるためのラチェット部（５）と、このラチェット部によるロックを解除するための、ロック解除レバー（１２）とを備えている。【選択図】図１
2010203216.tif 000002
【特許請求の範囲】
【請求項１】
把手（２）から伸びた所定長の柄部（３）と、この柄部の他端側に設けられた受皿部（６）と、前記柄部の他端と前記受皿部との間に取付けられ、前記受皿部と柄部との角度を、段階的に変えるためのラチェット部（５）と、このラチェット部によるロック解除するためのロック解除レバー（１２）とを備えた排水枡用スコップ。
【発明の詳細な説明】
【技術分野】
【０００１】  本発明は、排水枡に溜まった土砂やごみ等の汚泥を取り除いて清掃する為のスコップに関するものである。【０００２】  従来、排水枡を清掃するには、土木用スコップや側溝用スコップが用いられていた。【０００３】  また、特開２００７−１７７５９９号公報には泥掬い部の角度を、角度変更ジョイントで変更できるスコップが開示されている。これは角度変更ジョイントを有して、スコップの角度を変更するものである。
【先行技術文献】
【０００４】
【特許文献１】  特開２００７−１７７５９９号公報
【発明の概要】
【発明が解決しようとする課題】
【０００５】  この従来のスコップでは、排水枡に堆積した汚泥を取り出すには、掘った汚泥を狭い排水枡の中から上方向に排出しなければならず、掘った汚泥が排出する途中にスコップから滑り落ちたりして、大変作業がやりにくかった。
その為、もっと小さな片手で持つ移植ゴテ等で汚泥を取り出していたが、手や衣服が汚れがちであり、また狭い排水枡の中の作業の為、中腰の姿勢で作業せねばならず、疲れ易い等の問題があった。
特開２００７−１７７５９９号公報のスコップは、角度変更ジョイントで泥掬い部の角度を変更できるが、この変更する為の機構は不明であり、泥掬い部の寸法が柄の半分位の長さであり、「ジョイント」という言葉を使用している所からして、単に角度を変更できる様にしたものにすぎない。実際に泥を掬ったら、泥の重みで泥掬い部の角度が変ってしまう構造である。その為、重い泥の場合、折角掬った泥が再び排水枡に落ちてしまう欠点がある。
【課題を解決するための手段】
【０００６】  上記の課題を解決しその目的を果たす為、請求項１記載の発明は、把手から伸びた所定長の柄部と、この柄部の他端側に設けられた受皿部と、前記の柄部の他端と前記受皿部との間に取付けられ前記受皿部と柄部との角度を変える為のラチェット部と、このラチェット部によるロックを解除するためのロック解除レバーとを備えた排水枡用スコップである。
【発明の効果】
【０００７】  本発明による排水枡用スコップは、前記の構成なので、スコップを汚泥に突き刺すときは、柄部と受皿部とは一直線上にあって突き刺す際の力を集中させることができ、汚泥を掬い上げるときは、受皿部を柄部と直交させて、汚泥が滑り落ちないようにできる。柄部を３回〜６回前後に動かす毎に、受皿部の角度をラチェット部により段階的に変更できる。しかも、変更後は自動的にロックされ、受皿部の角度はそのまま固定できるので多量の汚泥を載せやすく、排水枡の形状に合わせて受皿部の角度を任意に設定できる。また、汚泥を掘り起こすとき、同じスコップを用いて、開口部の幅が広く、底が浅い場合は、柄部を動かす回数が少なくてすみ、開口部が狭く、底が深い排水枡の場合には、柄部を動かす回数を小刻みに数多く往復動させることで、柄部に対する受皿部の角度を９０°近くまで変えられるという利点ある。また、柄部を動かす回数を３回〜６回に分けているので、比較的軽い負荷で掘れて、しかも柄部を持って真上に取り出すので、従来の土木用スコップで行うのと比較すれば、遥かに楽に汚泥を清掃する事が出来る。【０００８】  また、柄部を前後に動かす事で、真下に掘り進む事が出来て、真上に汚泥を排出できるので、周囲にスペースがあまり無くても作業が出来る。柄部を前後に動かせば、ラチェット部が機能する範囲の深さまで、汚泥を掘り出すことが出来る。【０００９】  さらに、ロックを解除する際は、ロック解除レバーを足などで押圧すれば一度でロックを解除できるので操作が極めて容易である。
【図面の簡単な説明】
【００１０】
【図１】  排水枡用スコップの斜視図
【図２】  排水枡用スコップの下半分の背面図
【図３】  排水枡用スコップの下半分の側面図
【図４】  スタートの先端部詳細図
【図５】  受皿部の角度変化図
【図６】  スタート位置とストッパー軸の位置図
【図７】  排水枡用スコップの現場作業想定図
【図８】  クリック止め詳細図
【発明を実施するための形態】
【００１１】  以下、本発明を実施するための形態について詳細に説明する。
図１は、本発明の排水枡用スッコプの外観を示す図である。この排水枡用スコップ１は、把手２側から伸びた０．５ｍ〜１．５ｍの長さの柄部３の先端に、軸４を回動するラチェット部５が取付けられている。ラチェット部５は、受皿部６の背面側に取付けられている。柄部３と受皿部６との相対的な角度をラチェット部５によって変更でき、変更後は自動的にロックして、角度を固定できる。柄部３と受皿部６との角度を元の状態に戻す時は、ロック解除レバー１２を足で踏むなどすれば簡単に元の状態に戻る構造である。
次に、ラチェット部５の構造について図２〜図６に基づいて説明する。
（イ）図２における柄部３は、先端が二又状になっており、この先端部３ａ，３ｂに放射状にくぼみを設け、その中心に小穴が貫通されている。
（ロ）受皿部６の後端面の外側には、金具７が取付けられている、金具７の中央部と受皿部寄りで底面寄りにも小穴が貫通して設けられている。
（ハ）金具７の中央部の小穴には、各腕部３ａ，３ｂの小穴を通した軸４が通されて、柄部３と金具７を連結している。
（ニ）金具７の受皿部寄りで底面寄りの小穴には、ストッパー１１とスプリング９を通した軸８を通し、ストッパー１１とスプリング９を取付られている。
（ホ）スプリング９は両端をストッパー１１と金具７に当て、その反発力でストッパーの先端１１ａは、軸８を中心にして軸４の方向に力Ｆが働き（図４参照）、各腕部の先端３ａ，３ｂの形に倣ってくぼみに入ったり、くぼみでない所を通ったりして振れてラチェットの働きをする。
（ヘ）図４に示すように、くぼみ１０ａから１０ｄ迄の角度は９０度であり、柄部３を前に傾けて引き起こす動作を３回で汚泥を掘り出すとすると、くぼみ１０α〜１０ｄは，３０度毎に配置され、合計４個設けられている。また、柄部３を前に傾ける角度は３０度になる。（図５参照）
（ト）同上の動作を４回で行うためには、それぞれのくぼみ間の角度は２２．５度にする必要がある。くぼみの数は５ケ配置する事になる、同上の動作を５回で行うと、それぞれのくぼみ間の角度は１８度となり、くぼみは６ケ配置する事なる。柄部３を前に傾ける角度は１８度になり、その分だけ引き起こす事になる。  また同上の動作を６回行うとすると、それぞれのくぼみ間の角度は１５度になり、くぼみは７ケ配置する必要がある。この場合、柄部３を前に１５度傾けて、１５度引き起こすになる。
（チ）ストッパー１１と、くぼみが噛み合ったスタートの１０ａの位置は図６（ａ）（ｂ）（ｃ）（ｄ）の様に〈の角度は−３０度から＋９０度の範囲内で、ラチェット部５がラチェットとしての機能を果たす事が出来る。  又、ストッパー軸１１の位置、はくぼみ１０ａ，１０ｂ，１０ｃ，１０ｄ，の谷の半径円に、ストッパー先端１１ａの円の軌跡が食い込む位置にする必要がある。
（リ）汚泥を排出した後、ラチェット部５を解除してストッパー１１をスタートの１０ａの位置に戻すために、ストッパー１１の受皿部６の底面側にロック解除レバー１２を取付けてある。
（ヌ）図４のくぼみ１０ａのラチェット部５のスタート位置で、ストッパー先端１１ａの下側にくぼみ１０ａを設け、その形に合った突起を各腕部３ａ，３ｂのくぼみ１０αのくぼみ１０ｂ寄りの所に設けると、スプリング９の力が働いて、ストッパー先端１１ａのくぼみと、各腕部３ａ，３ｂのくぼみ１０αの１０ｂ側の突起がしっかり噛み合って、受皿部６の動きが安定する。
（ル）柄部３を前に傾け、引起こす角度が２２．５度以下になると、くぼみ１０ａの形状が影響して、ラチェット部５のスタート位置で、ストッパー先端１１ａとくぼみ１０ａとの噛み合せが甘くなる。そのため受皿部６が揺れ動く可能性あり、汚泥に受皿部６の先端を突き刺しにくくなる。これを防ぐため、図８の（ａ）の背面および（ｂ）の左側面図に示すような構造になっている。すなわち柄部３の先端にりん青銅バネなどからなるクリック止め１７ａの一端を固定し、他端の突起が金具の左側部７ａに設けたクリック止め穴１７ｂと嵌め合って、スタート位置を位置決め、固定するようになっている。この嵌め合いは、柄部３を動かすことよって簡単にはずれ、ストッパー１１ａは、次のくぼみ１０ｂに入りこみ、しっかりと固定される。したがって、このスコップ１を持ち運びするときなどに、受皿部６がブラブラと揺れ動くことがないという利点となる。
【００１２】  次に、本発明によるスコップの使用方法について図７を用いて説明する。（ａ）は、排水枡１５の開口部が比較的広く（約５５０ｍｍ）、深さが浅い（約５００ｍｍ）排水枡１５の底部に汚泥が溜った場合に、本発明によるスコップで汚泥を掬う様子を示している。
受皿部６の底面を、汚泥の面に垂直に金具７の取付け面近く迄突き刺し、柄部３を前に３０度傾け、そして引き起こす動作を３回繰り返すと、柄部３と受皿部６との角度は徐々に変り、やがて９０度の状態になり、汚泥は受皿部６に載った状態になる。把手２や柄部３を握りながら、そのまま真っすぐ上に引き上げると汚泥を排水枡１５の外に掬い出すことができる。  （ｂ）は、排水枡１５の開口部の形状が比較的狭く（約４５０ｍｍ）、深い場合（約１１００ｍｍ）を示す図である。
【００１３】  次にラチェット部５の、ロックを解除する場合について説明する。ストッパー１１に付いているロック解除レバー１２を足で踏み、軸８を中心にスコップの先端６ａに向ってロック解除レバー１２を押し下げると、ストッパー先端１１ａがくぼみ１０ｄから外れてラチェットが解除され、ストッパー１１はくぼみ１０ａに戻り、スプリング９の力ではまり込み、受皿部６は柄部３と平行な状態にもどる。
【００１４】  本発明によるスコップは、以上説明したように使用することができるので、図７の（ａ）に示す開口部が比較的広く浅い排水枡や、図７の（ｂ）に示す開口部が比較的狭く深い排水枡など、どのようなタイプの排水枡に溜った汚泥でも、同一のスコップで容易に掘り出し、排水枡の外へ掬い出し清掃することができる。
【符号の説明】
【００１５】    １  排水枡用スコップ
２  把手
３  柄部
３ａ柄部の左側先端部
３ｂ柄部の右側先端部
４  軸
５  ラチェット部
６  受皿部
６ａ受け皿部の先端
７  金具
７ａ金具の左側部
７ｂ金具の右側部
８  軸
９  スプリング
１０ａくぼみ
１０ｂくぼみ
１０ｃくぼみ
１０ｄくぼみ
１１  ストッパー
１１ａストッパー先端
１２  ロック解除レバー
１３  排水管
１４  Ｕ字溝
１５  排水枡
１６  汚泥
１７ａクリック止め
１７ｂクリック止め穴
【図１】
2010203216.tif 000003
【図２】
2010203216.tif 000004
【図３】
2010203216.tif 000005
【図４】
2010203216.tif 000006
【図５】
2010203216.tif 000007
【図６】
2010203216.tif 000008
【図７】
2010203216.tif 000009
【図８】
2010203216.tif 000010